(57)【要約】【課題】衛星信号の受信処理を確実に実行できる衛星信号受信装置を提供すること。【解決手段】衛星信号受信装置は、受信時刻を設定する受信時刻設定部７１と、内部時刻を計時する計時部と、計時部で計時する時刻が受信時刻になった際に受信部を作動する時刻受信処理を行う時刻受信制御部７２とを備える。時刻受信制御部７２を備えているので、内部時刻が受信時刻設定部７１で設定した受信時刻になれば、受信処理を実行できる。従って、１日に１回は受信処理が行われる。このため、使用状態や季節や天候の影響を受けることがなく、衛星信号の受信処理を確実に実行できる。【選択図】図４
2015232576.tif 000002
【特許請求の範囲】
【請求項１】
位置情報衛星から送信される衛星信号を受信する受信部を有する携帯型の衛星信号受信装置であって、
受信時刻を設定する受信時刻設定部と、
内部時刻を計時する計時部と、
前記計時部で計時する時刻が前記受信時刻になった際に前記受信部を作動する時刻受信処理を行う時刻受信制御部と、
ソーラーセルと、
前記ソーラーセルに当たる光の照度を検出する照度検出回路と、
前記照度検出回路で検出された照度が設定された閾値以上の場合に前記受信部を作動する光受信処理を行う光受信制御部と、
ユーザーの受信操作指示が入力された場合に前記受信部を作動する強制受信処理を行う強制受信制御部と、
前記光受信処理、前記時刻受信処理、前記強制受信処理の各処理における最新の受信成功時刻を記憶する記憶部とを備え、
前記受信時刻設定部は、前記記憶部に記憶された、光受信処理で受信に成功した時刻、時刻受信処理で受信に成功した時刻、強制受信処理で受信に成功した時刻のいずれかの時刻を前記受信時刻に設定する
ことを特徴とする衛星信号受信装置。
【請求項２】
請求項１に記載の衛星信号受信装置において、
前記受信時刻設定部は、前記受信時刻における受信処理に所定回数連続して失敗した場合に、当該受信処理に失敗した時刻を前記受信時刻に設定せずに、他の時刻を前記受信時刻に設定する
ことを特徴とする衛星信号受信装置。
【請求項３】
請求項１または請求項２に記載の衛星信号受信装置において、
前記受信時刻設定部は、受信処理が行われる度に、前記受信時刻を前記各受信処理の成功時刻に切り替える
ことを特徴とする衛星信号受信装置。
【請求項４】
請求項３に記載の衛星信号受信装置において、
前記受信時刻設定部は、前記各受信処理の成功時刻のなかで最後に受信に成功した順に前記受信時刻を切り替えて設定する
ことを特徴とする衛星信号受信装置。
【請求項５】
請求項３に記載の衛星信号受信装置において、
前記受信時刻設定部は、
光受信処理で受信に成功した時刻、および、時刻受信処理で受信に成功した時刻のうち最後に成功した時刻と、
最後に強制受信処理で受信に成功した時刻と、を切り替えて前記受信時刻に設定する
ことを特徴とする衛星信号受信装置。
【請求項６】
請求項５に記載の衛星信号受信装置において、
受信に成功した後、一定期間受信を休止し、
前記受信時刻設定部は、前記休止後に受信を再開する場合は、光受信処理で受信に成功した時刻、および、時刻受信処理で受信に成功した時刻のうち最後に成功した時刻を、前記受信時刻の初期設定値とする
ことを特徴とする衛星信号受信装置。
【請求項７】
請求項１から請求項６のいずれかに記載の衛星信号受信装置において、
前記受信時刻設定部は、前記受信時刻が過去に受信に成功した時刻であり、当該受信時刻における受信処理に失敗した場合に、当該受信時刻から一定時間ずらした時刻を新しい前記受信時刻に設定する
ことを特徴とする衛星信号受信装置。
【請求項８】
位置情報衛星から送信される衛星信号を受信する受信部を有する携帯型の衛星信号受信装置であって、
受信時刻を設定する受信時刻設定部と、
内部時刻を計時する計時部と、
前記計時部で計時する時刻が前記受信時刻になった際に前記受信部を作動する時刻受信処理を行う時刻受信制御部と、
ユーザーの受信操作指示が入力された場合に前記受信部を作動する強制受信処理を行う強制受信制御部とを備え、
前記受信時刻設定部は、前記強制受信処理で受信に成功した時刻が設定された前記受信時刻における受信処理に所定回数連続して失敗した場合に、当該受信処理に失敗した時刻を前記受信時刻に設定せずに、他の時刻を前記受信時刻に設定する
ことを特徴とする衛星信号受信装置。
【請求項９】
請求項１から請求項８のいずれかに記載の衛星信号受信装置において、
ソーラーセルと、
前記ソーラーセルに当たる光の照度を検出する照度検出回路と、
前記照度検出回路で検出された照度が設定された閾値以上の場合に前記受信部を作動する光受信処理を行う光受信制御部と、を備え、
前記時刻受信制御部は、前記光受信制御部による光受信処理が、予め設定された所定時間以上実施されない場合に、前記時刻受信処理を実施する
ことを特徴とする衛星信号受信装置。
【請求項１０】
請求項１から請求項９のいずれかに記載の衛星信号受信装置と、
前記衛星信号受信装置で受信した衛星信号から少なくとも時刻情報を取得し、当該時刻
情報に基づいて前記計時部で計時されている内部時刻を修正する時刻修正部と、
前記計時部で計時されている内部時刻を表示する時刻表示部と、を備える
ことを特徴する電子機器。
【発明の詳細な説明】
【技術分野】
【０００１】
本発明は、例えばＧＰＳ衛星等の位置情報衛星からの信号に基づいて測位や時刻修正を行う衛星信号受信装置および電子機器に関する。
【背景技術】
【０００２】
ＧＰＳ（Global Positioning System）衛星からの衛星信号を受信して測位や時刻修正を行う電子機器が知られている（例えば、特許文献１）。
このような電子機器として、例えば、腕時計のように、使用者と共に移動する機器を想定した場合、電子機器が屋内や地下街等の衛星信号を受信できない環境に移動していることが考えられる。
【０００３】
このような衛星信号を受信できない環境で受信処理を行うと、電力を無駄に消費してしまう。特に、腕時計のように電池駆動の電子機器では、持続時間確保や、電池サイズの小型化のために、消費電流を低減する必要があり、無駄な受信処理を避ける必要があった。
【０００４】
このため、特許文献１では、電子機器にソーラーパネルを設け、その発電量を屋内外を判断する閾値と比較して電子機器が屋外に配置されているかを判断し、屋外と判断された場合に受信処理を行うようにしていた。
【先行技術文献】
【特許文献】
【０００５】
【特許文献１】特開２００８−３９５６５号公報
【発明の概要】
【発明が解決しようとする課題】
【０００６】
ところで、ソーラーパネルの発電量は、そのソーラーパネルに照射している光の照度に対応している。このため、電子機器が日中の屋外にある場合の照度と、屋内にある場合の照度とに対応する発電量を求め、これらの発電量を区別できるように前記閾値を設定することで屋内外を判断できるものと考えられていた。
【０００７】
しかしながら、実際には、電子機器が屋外に配置されている場合でも、電子機器の使用状況によっては、発電量が閾値を超えない場合がある。例えば、衛星信号受信装置を備える電子機器が腕時計である場合には、ソーラーセルが袖等に覆われるために、電子機器が屋外に配置されている場合でも、発電量が閾値を超えない場合がある。また、季節や天候によっては、直射日光が当たらなかったり、弱かったりするために、電子機器が屋外に配置されている場合でも、発電量が閾値を超えない場合がある。
このような場合、長期間、受信処理が行われないので、衛星信号を受信して得られる時刻情報で内部時刻を修正することができず、時刻精度が低下するおそれがある。このため、衛星信号の受信処理を確実に実行できるものが求められていた。
【０００８】
本発明の目的は、衛星信号の受信処理を確実に実行できる衛星信号受信装置および電子機器を提供することにある。
【課題を解決するための手段】
【０００９】
本発明は、位置情報衛星から送信される衛星信号を受信する受信部を有する衛星信号受信装置であって、受信時刻を設定する受信時刻設定部と、内部時刻を計時する計時部と、前記計時部で計時する時刻が前記受信時刻になった際に前記受信部を作動する時刻受信処理を行う時刻受信制御部と、を備えることを特徴とする。
【００１０】
本発明によれば、時刻受信制御部を備えているので、内部時刻が受信時刻設定部で設定した受信時刻になれば、受信処理を実行できる。すなわち、１日に１回は受信時刻に達して受信処理が行われる。このため、ソーラーセルを用いた場合のように、使用状態や季節や天候の影響を受けることがなく、衛星信号の受信処理を確実に実行できる。
【００１１】
本発明の衛星信号受信装置において、前記受信時刻設定部は、過去に受信処理を行って受信に成功した時刻を前記受信時刻に設定することが好ましい。
ここで、過去の受信処理としては、時刻受信制御部による受信時刻での受信処理が含まれるが、光を検出して受信処理を行う機能も備える場合には、この光受信処理を含めてもよい。さらに、ユーザーのボタン操作などで実施される強制受信処理も含めてもよい。
【００１２】
本発明によれば、受信時刻を過去に受信に成功した時刻に設定しているので、時刻受信処理時に受信に成功する確率を高めることができる。
衛星信号受信装置のユーザーの生活パターンはほぼ同じである。特に、通勤・通学者の平日の行動パターンはほぼ一定であり、過去に受信に成功した時刻には、衛星信号の受信に適した環境に衛星信号受信装置が配置されている可能性が高い。
従って、過去に受信に成功した時刻を受信時刻に設定すれば、受信実績に関係なく受信時刻を固定している場合に比べて、受信成功確率を向上できる。
【００１３】
本発明の衛星信号受信装置において、前記受信時刻設定部は、前記受信時刻における受信処理に所定回数連続して失敗した場合に、当該受信処理に失敗した時刻を前記受信時刻に設定せずに、他の時刻を前記受信時刻に設定することが好ましい。
【００１４】
本発明によれば、連続して受信に失敗した時刻は、その後、受信時刻に設定しないので、受信成功率が低い時刻に受信処理を実施することを防止できる。このため、無駄な受信処理を無くすことができ、省電力化を図ることができる。
【００１５】
本発明の衛星信号受信装置において、ソーラーセルと、前記ソーラーセルに当たる光の照度を検出する照度検出回路と、前記照度検出回路で検出された照度が設定された閾値以上の場合に前記受信部を作動する光受信処理を行う光受信制御部と、ユーザーの受信操作指示が入力された場合に前記受信部を作動する強制受信処理を行う強制受信制御部と、を備え、前記受信時刻設定部は、過去に光受信処理で受信に成功した時刻、過去に時刻受信処理で受信に成功した時刻、過去に強制受信処理で受信に成功した時刻のいずれかの時刻を前記受信時刻に設定することが好ましい。
【００１６】
本発明によれば、受信時刻を過去に受信に成功した時刻に設定しているので、時刻受信処理時に受信に成功する確率を高めることができる。
特に、光受信処理で受信に成功した時刻を受信時刻に設定すれば、ユーザーの生活パターンにおいて、受信に適した屋外に移動している時間帯である可能性が高いので、受信に成功する確率を向上できる。
また、時刻受信処理で受信に成功した時刻を受信時刻に設定した場合も、ユーザーの生活パターンにおいて、受信に適した屋外に移動している時間である可能性が高いので、受信に成功する確率を向上できる。
さらに、強制受信処理で受信に成功した時刻を受信時刻に設定した場合も、ユーザーが屋外の受信に適した環境に移動していることを認識して受信処理を行っている可能性が高く、生活パターンが同じであれば、同じ時間に受信に適した屋外に移動している可能性が高いので、受信に成功する確率を向上できる。
【００１７】
また、本発明では、受信時刻は受信に成功した時刻に設定する必要があるが、３種類の受信処理を実行できるようにしているので、受信に成功する確率も高めることができる。すなわち、光受信処理のみを実施する場合には、特許文献１のように、光を検出できないと受信処理自体が実行されない。また、設定された時刻に受信処理を行う時刻受信処理のみを実施する場合、その時刻に受信に適した屋外に衛星信号受信装置が配置されていないと受信は成功しない。さらに、強制受信処理のみを実施する場合には、受信の仕組みを十分に理解しないユーザーが屋内で受信操作を行ったり、長期間受信処理を行わずに放置するおそれもある。
これに対し、本発明では、３種類の受信処理を実施でき、いずれかで受信に成功すれば受信時刻を設定できるので、利便性を高めることができる。
【００１８】
ここで、前記受信時刻設定部は、受信処理が行われる度に、前記受信時刻を前記各受信処理の成功時刻に切り替えることが好ましい。
【００１９】
本発明によれば、前記３種類の受信処理のそれぞれで受信に成功した場合や、３種類の受信処理のうち２種類の受信処理で受信に成功した場合には、複数の受信成功時刻が存在することになる。このような場合に、受信処理が行われる度に、受信成功時刻を切り替えて受信時刻を設定すれば、異なる時刻に時刻受信処理が実施され、受信に成功する確率も向上できる。
【００２０】
本発明の衛星信号受信装置において、前記受信時刻設定部は、前記各受信処理の成功時刻のなかで最後に受信に成功した順に前記受信時刻を切り替えて設定することが好ましい。
【００２１】
本発明では、受信時刻に設定する受信成功時刻を、各受信処理のなかで最後に受信に成功した順、つまり３種類の受信処理における受信成功時刻の中で最も直近（最新）で受信に成功した時刻から優先して設定している。
このように最新の受信成功時刻から受信時刻に設定すれば、ユーザーの行動パターンが変化した場合でも、新しい行動パターンにおいて屋外に移動している時間を受信時刻に設定しやすくなり、受信に成功する確率も向上できる。
【００２２】
本発明の衛星信号受信装置において、前記受信時刻設定部は、光受信処理で受信に成功した時刻、および、時刻受信処理で受信に成功した時刻のうち最後に成功した時刻と、最後に強制受信処理で受信に成功した時刻と、を切り替えて前記受信時刻に設定することが好ましい。
【００２３】
受信時刻を、光受信処理や時刻受信処理での成功時刻と、強制受信処理での成功時刻とで切り替えて設定しているので、いずれか一方に固定した場合に比べて、受信に成功する確率を高めることができる。
すなわち、ユーザーが通常と異なる行動パターンの際に強制受信処理を行うことも考えられるため、強制受信成功時刻のみで受信時刻を設定すると、受信成功確率が低下する可能性もある。
一方、ユーザーが屋外にいることが多い時間に意識的に強制受信処理を行った場合には、光受信処理や時刻受信処理の受信成功時間に受信に失敗しても、強制受信成功時刻に受信に成功する確率が高まる場合もある。
従って、受信時刻を、光受信処理や時刻受信処理での成功時刻と、強制受信処理での成功時刻とで切り替えて設定することで、受信成功確率を高めることができる。
【００２４】
この際、受信に成功した後、一定期間受信を休止し、前記受信時刻設定部は、前記休止後に受信を再開する場合は、光受信処理で受信に成功した時刻、および、時刻受信処理で受信に成功した時刻のうち最後に成功した時刻を、前記受信時刻の初期設定値とすることが好ましい。
【００２５】
受信成功時に一定期間、例えば２日間受信を休止すれば、電力消費を抑制できる。また、休止後の受信再開時に、光受信処理および時刻受信処理のいずれかの受信成功時刻を受信時刻に設定すれば、ユーザーの行動パターンにおいて屋外にいた時刻を重視して受信時刻を設定できるので、強制受信成功時刻を受信時刻に設定する場合に比べると、時刻受信処理で受信に成功する確率も向上できる。
【００２６】
本発明の衛星信号受信装置において、前記受信時刻設定部は、前記受信時刻が過去に受信に成功した時刻であり、当該受信時刻における受信処理に失敗した場合に、当該受信時刻から一定時間ずらした時刻を新しい前記受信時刻に設定することが好ましい。
【００２７】
本発明によれば、受信処理に失敗した場合に、受信成功実績がある時刻から一定時間ずらした時刻で受信処理を行うため、受信成功確率を向上できる。
すなわち、一定時間とは、例えば、５分、１０分、３０分、１時間などであり、適宜設定すればよい。例えば、通勤のために自宅を出る時刻が７時０分であり、その時刻に合わせて受信時刻が設定されていた場合に、自宅を出る時間が１０分遅れた場合、受信時刻である７時０分には衛星信号受信装置が屋内にあって受信に失敗することがある。このような場合に、翌日の受信時刻を３０分ずらした７時３０分に設定すれば、翌日の受信に成功する確率を高めることができる。
【００２８】
本発明の衛星信号受信装置において、ユーザーの受信操作指示が入力された場合に前記受信部を作動する強制受信処理を行う強制受信制御部を備え、前記受信時刻設定部は、前記強制受信処理で受信に成功した時刻が設定された前記受信時刻における受信処理に所定回数連続して失敗した場合に、当該受信処理に失敗した時刻を前記受信時刻に設定せずに、他の時刻を前記受信時刻に設定することが好ましい。
【００２９】
本発明によれば、強制受信成功時刻での受信処理に連続して失敗した場合、その後、その時刻を受信時刻に設定しないので、受信成功率が低い時刻に受信処理を実施することを防止できる。このため、無駄な受信処理を無くすことができ、省電力化を図ることができる。特に、強制受信処理は、必ずしもユーザーの行動パターンに関係なく行われる場合がある。例えば、旅行などの特別なイベント時に強制受信処理を行うと、その受信成功時刻が、ユーザーの通常の行動パターンでは屋外に移動していない時刻になることがある。この場合、強制受信成功時刻で受信処理を行っても受信に失敗する確率が高く、この時間を受信時刻から外すことで、無駄な受信処理を無くすことができる。
【００３０】
本発明の衛星信号受信装置において、前記受信時刻設定部は、最後に受信処理が行われてから一定時間経過した時刻を前記受信時刻に設定することが好ましい。
【００３１】
本発明によれば、受信処理から一定時間経過時に時刻受信処理が行われるため、一定時間毎に受信処理が繰り返されることになる。このため、一定時間の長さを適宜設定すれば、受信頻度を増やすこともでき、その分、受信に成功する回数も増やすことができる。
【００３２】
本発明の衛星信号受信装置において、ソーラーセルと、前記ソーラーセルに当たる光の照度を検出する照度検出回路と、前記照度検出回路で検出された照度が設定された閾値以上の場合に前記受信部を作動する光受信処理を行う光受信制御部と、を備え、前記時刻受信制御部は、前記光受信制御部による光受信処理が、予め設定された所定時間以上実施されない場合に、前記時刻受信処理を実施することが好ましい。
【００３３】
本発明によれば、光受信処理が所定時間以上実施されない場合のみ、時刻受信処理を実施している。このため、屋外での受信が行えて受信に成功する確率が高い光受信処理が優先的に実施され、屋内での受信の可能性もある時刻受信処理は例外的に実施されるため、無駄な受信処理を無くすことができ、省電力化を図ることができる。
【００３４】
本発明の電子機器は、前述の衛星信号受信装置と、前記衛星信号受信装置で受信した衛星信号から少なくとも時刻情報を取得し、当該時刻情報に基づいて前記計時部で計時されている内部時刻を修正する時刻修正部と、前記計時部で計時されている内部時刻を表示する時刻表示部と、を備える。
【００３５】
本発明によれば、前記衛星信号受信装置と同様の作用効果を奏することができる。特に、本発明の電子機器によれば、衛星信号から取得した時刻情報で内部時刻を修正できるので、時刻表示精度の高い電子時計として利用できる。
【図面の簡単な説明】
【００３６】
【図１】電子時計の平面図である。
【図２】電子時計の概略断面図である。
【図３】電子時計の回路構成を示すブロック図である。
【図４】電子時計の制御回路の構成を示すブロック図である。
【図５】第１実施形態の受信制御処理を示すフローチャートである。
【図６】第１実施形態の受信時刻設定処理を示すフローチャートである。
【図７】第２実施形態の受信制御処理を示すフローチャートである。
【図８】第２実施形態の受信時刻設定処理を示すフローチャートである。
【図９】第３実施形態の受信制御処理を示すフローチャートである。
【図１０】第４実施形態の受信制御処理を示すフローチャートである。
【図１１】第４実施形態の受信時刻設定処理を示すフローチャートである。
【発明を実施するための形態】
【００３７】
［第１実施形態］
以下、この発明の好適な実施の形態の一つである第１実施形態を、添付図面等を参照しながら詳細に説明する。
【００３８】
［電子機器の構造］
図１は、本発明の第１実施形態に係る衛星信号受信装置を備える電子機器である電子時計１の平面図であり、図２は電子時計１の概略断面図である。図１から明らかなように、電子時計１は、使用者の手首に装着される腕時計であり、文字板１１および指針１２を備え、時刻を計時して表面に表示する。文字板１１の大部分は、光および１．５ＧＨｚ帯のマイクロ波が透過し易い非金属の材料（例えば、プラスチックまたはガラス）で形成されている。指針１２は、文字板１１の表面側に設けられている。また、指針１２は、回転軸１３を中心に回転移動する秒針１２１、分針１２２および時針１２３を含み、歯車を介してステップモーターで駆動される。
【００３９】
電子時計１では、リューズ１４やボタン１５、ボタン１６の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための受信処理が実行される。また、ボタン１６が押されると、受信モード（測時モードまたは測位モード）を切り替える切替処理が実行される。この際、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。
【００４０】
また、ボタン１５が短時間にわたって押されると、前回の受信処理の結果を表示する結果表示処理が行われる。例えば、測時モードで受信成功の場合には、秒針１２１が「Ｔｉｍｅ」（５秒位置）の位置に移動し、測位モードで受信成功の場合には、秒針１２１が「Ｆｉｘ」（１０秒位置）の位置に移動する。また、受信失敗の場合には秒針１２１が「Ｎ」の位置（２０秒位置）に移動する。
なお、これらの秒針１２１による指示は受信中も行われる。すなわち、測時モードで受信中は秒針１２１が「Ｔｉｍｅ」の位置（５秒位置）に移動し、測位モードで受信中は秒針１２１が「Ｆｉｘ」の位置（１０秒位置）に移動する。また、ＧＰＳ衛星が捕捉できない場合は秒針１２１が「Ｎ」の位置（２０秒位置）に移動する。
【００４１】
図２に示すように、電子時計１は、ステンレス鋼（ＳＵＳ）やチタン等の金属で構成された外装ケース１７を備えている。外装ケース１７は、略円筒状に形成されている。外装ケース１７の表面側の開口には、ベゼル１８を介して表面ガラス１９が取り付けられている。ベゼル１８は、衛星信号の受信性能を向上させるためにセラミックス等の非金属材料で構成される。外装ケース１７の裏面側の開口には、裏蓋２０が取り付けられている。外装ケース１７の内部には、ムーブメント２１、ソーラーセル２２、ＧＰＳアンテナ２３、二次電池２４等が配置されている。
【００４２】
ムーブメント２１は、ステップモーターや輪列２１１を含んで構成されている。ステップモーターは、モーターコイル２１２、ステーター、ローター等で構成されており、輪列２１１や回転軸１３を介して指針１２を駆動する。ムーブメント２１の裏蓋２０側には、回路基板２５が配置されている。回路基板２５は、コネクター２６を介してアンテナ基板２７および二次電池２４と接続されている。
【００４３】
回路基板２５には、ＧＰＳアンテナ２３で受信した衛星信号を処理するＧＰＳ受信回路３０、ステップモーターの駆動制御等の各種の制御を行う制御回路４０等が取り付けられている。ＧＰＳ受信回路３０や制御回路４０は、シールド板２９に覆われており、二次電池２４から供給される電力で駆動される。
【００４４】
ソーラーセル２２は、光エネルギーを電気エネルギーに変換する光発電を行う光発電素子である。ソーラーセル２２は、発生した電力を出力するための電極を備え、文字板１１の裏面側に配置されている。文字板１１の大部分は、光が透過し易い材料で形成されているから、ソーラーセル２２は、表面ガラス１９および文字板１１を透過した光を受光して光発電を行うことができる。
【００４５】
二次電池２４は、電子時計１の電源であり、ソーラーセル２２で発生した電力を蓄積する。電子時計１では、ソーラーセル２２の二つの電極と二次電池２４の二つの電極とをそれぞれ電気的に接続することが可能であり、接続時には、ソーラーセル２２の光発電によって二次電池２４が充電される。なお、本実施形態では、二次電池２４として、携帯機器に好適なリチウムイオン電池を用いているが、リチウムポリマー電池や他の二次電池を用いてもよいし、二次電池とは異なる蓄電体（例えば容量素子）を用いてもよい。
【００４６】
ＧＰＳアンテナ２３は、１．５ＧＨｚ帯のマイクロ波を受信するアンテナであり、文字板１１の裏面側に配置され、裏蓋２０側のアンテナ基板２７上に実装されている。文字板１１に直交する方向において、ＧＰＳアンテナ２３と重なる文字板１１の部分は、１．５ＧＨｚ帯のマイクロ波が透過し易い材料（例えば、導電率および透磁性の低い非金属の材料）で形成されている。また、ＧＰＳアンテナ２３と文字板１１との間には電極を備えたソーラーセル２２が介在しない。よって、ＧＰＳアンテナ２３は、表面ガラス１９および文字板１１を透過した衛星信号を受信することができる。
【００４７】
ところで、ＧＰＳアンテナ２３とソーラーセル２２の距離が近いほど、ＧＰＳアンテナ２３とソーラーセル２２内の金属部材が電気的に結合してロスが発生したり、ＧＰＳアンテナ２３の放射パターンがソーラーセル２２に遮られて小さくなったりする。そのため、受信性能が劣化しないように、実施形態では、ＧＰＳアンテナ２３とソーラーセル２２との距離が所定値以上になるように配置されている。
【００４８】
また、ＧＰＳアンテナ２３は、ソーラーセル２２以外の金属部材との距離も所定値以上となるように配置されている。例えば、外装ケース１７やムーブメント２１が金属部材で構成されている場合、ＧＰＳアンテナ２３は、外装ケース１７との距離およびムーブメント２１との距離がともに所定値以上になるように配置される。なお、ＧＰＳアンテナ２３としては、パッチアンテナ（マイクロストリップアンテナ）、ヘリカルアンテナ、チップアンテナ、逆Ｆアンテナ等を採用可能である。
【００４９】
ＧＰＳ受信回路３０は、二次電池２４に蓄積された電力で駆動される負荷であり、各回の駆動毎に、ＧＰＳアンテナ２３を通じてＧＰＳ衛星からの衛星信号の受信を試み、受信に成功した場合には、取得した軌道情報やＧＰＳ時刻情報等の情報を制御回路４０へ供給し、失敗した場合には、その旨の情報を制御回路４０へ供給する。なお、ＧＰＳ受信回路３０の構成は、公知のＧＰＳ受信回路の構成と同様であるため、その説明を省略する。
従って、本発明の受信部は、ＧＰＳアンテナ２３およびＧＰＳ受信回路３０を備えて構成されている。
【００５０】
図３は、電子時計１の回路構成を示すブロック図である。この図に示すように、電子時計１は、ソーラーセル２２と、二次電池２４と、ＧＰＳ受信回路３０と、制御回路４０と、ダイオード４１と、充電制御用スイッチ４２と、充電状態検出回路４３と、電圧検出回路４４と、時計部５０と、記憶部６０とを備えている。なお、本発明における照度検出回路は、充電状態検出回路４３と、電圧検出回路４４とから構成される。
【００５１】
制御回路４０は、衛星信号受信装置を備える電子時計１を制御するためのＣＰＵで構成されている。この制御回路４０は、後述するように、ＧＰＳ受信回路３０を制御して受信処理を実行する受信制御部７０と、取得した前記ＧＰＳ時刻情報を利用して時計部５０で計時している内部時刻を修正する時刻修正部４５とを備えている。また、制御回路４０は、充電状態検出回路４３、電圧検出回路４４の動作を制御する。
【００５２】
ダイオード４１は、ソーラーセル２２と二次電池２４とを電気的に接続する経路に設けられ、ソーラーセル２２から二次電池２４への電流（順方向電流）を遮断せずに、二次電池２４からソーラーセル２２への電流（逆方向電流）を遮断する。なお、順方向電流が流れるのは、二次電池２４の電圧よりもソーラーセル２２の電圧が高い場合、すなわち充電時に限られる。また、ダイオード４１に代えて電界効果トランジスター（ＦＥＴ）を採用してもよい。
【００５３】
充電制御用スイッチ４２は、ソーラーセル２２から二次電池２４への電流の経路を接続および切断するものであり、ソーラーセル２２と二次電池２４とを電気的に接続する経路に設けられたスイッチング素子４２１を備えている。スイッチング素子４２１がオフ状態からオン状態に遷移するとオン（接続）し、スイッチング素子４２１がオン状態からオフ状態へ遷移するとオフ（切断）する。
例えば、過充電により電池特性が劣化する状態にならないよう、二次電池２４の電池電圧が所定値以上となる場合には、充電制御用スイッチ４２をオフする。
【００５４】
スイッチング素子４２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路４０に制御される。
【００５５】
充電状態検出回路４３は、充電状態の検出タイミングを指定する２値の制御信号ＣＴＬ１に基づいて作動し、ソーラーセル２２から二次電池２４への充電の状態（充電状態）を検出し、検出結果ＲＳ１を制御回路４０へ出力する。充電状態は「充電中」または「非充電中」であり、その検出は電池電圧ＶＣＣと充電制御用スイッチ４２がオンのときのソーラーセル２２のＰＶＩＮとに基づいて行われる。例えば、ダイオード４１の降下電圧をＶｔｈとし、スイッチング素子４２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００５６】
本実施形態では、制御信号ＣＴＬ１は、周期が１秒のパルス信号であり、充電状態検出回路４３は、制御信号ＣＴＬ１がハイレベルの期間において充電状態の検出を行う。つまり、充電状態検出回路４３は、充電制御用スイッチ４２を接続状態に維持したまま、充電状態の検出を１秒周期で繰り返し行う。
【００５７】
なお、充電状態の検出を間欠的に行うのは、充電状態検出回路４３の消費電力量を低減するためである。この低減が不要であれば、充電状態が連続的に検出されるようにしてもよい。充電状態検出回路４３は、例えば、コンパレーター、Ａ／Ｄコンバーター等を用いて構成することができる。
【００５８】
電圧検出回路４４は、電圧の検出タイミングを指定する２値の制御信号ＣＴＬ２に基づいて作動し、この制御信号ＣＴＬ２により充電制御用スイッチ４２がオフとされた期間においてソーラーセル２２の端子電圧ＰＶＩＮ、すなわちソーラーセル２２の開放電圧を検出する。また、電圧検出回路４４は、開放電圧の検出結果ＲＳ２を制御回路４０へ出力する。
【００５９】
受信制御部７０は、図４に示すように、受信時刻設定部７１、時刻受信制御部７２、光受信制御部７３、強制受信制御部７４を備えている。
受信時刻設定部７１は、自動的に受信する受信時刻を設定する。
時刻受信制御部７２は、受信時刻設定部７１で設定した受信時刻に内部時刻が達した際に、ＧＰＳ受信回路３０を作動して受信処理を実行する。時刻受信制御部７２による受信処理が本発明における時刻受信処理である。以下、時刻受信処理を時刻自動受信処理と表現する。
光受信制御部７３は、電圧検出回路４４で検出した開放電圧（照度）が所定の閾値以上の場合に、ＧＰＳ受信回路３０を作動して受信処理を実行する。光受信制御部７３による受信処理が本発明における光受信処理である。以下、光受信処理を光自動受信処理と表現する。
なお、時刻受信制御部７２および光受信制御部７３による自動的な受信処理（時刻自動受信処理、光自動受信処理）は１日に１回のみ実施するように制御されている。
強制受信制御部７４は、ユーザーがボタン１５を押して強制受信操作を行った場合に、ＧＰＳ受信回路３０を作動して受信処理（強制受信処理）を実行する。
【００６０】
時計部５０は、ムーブメント２１を備え、二次電池２４に蓄積された電力で駆動されて計時処理を行う。計時処理では、時刻を計時する一方、計時時刻に応じた時刻（表示時刻）を電子時計１の表面に表示させる。従って、本発明において内部時刻を計時する計時部は、時計部５０によって構成される。
【００６１】
記憶部６０は、後述するように、光自動受信処理、時刻自動受信処理、強制受信処理の各処理における最新の受信成功時刻および受信履歴（受信処理時刻、受信結果等）や、受信時刻設定部７１で設定される受信時刻等の各種情報を記憶する。記憶部６０の記憶容量は、記憶させる情報の数や大きさによって選択されればよい。
【００６２】
［受信制御処理の説明］
次に、第１実施形態における受信制御処理に関し、図５，６のフローチャートを参照して説明する。
制御回路４０の受信制御部７０は、時計部５０で計時している内部時刻が午前０時０分０秒になると、図５の受信制御処理を開始する。
【００６３】
受信制御部７０は、まず、記憶部６０を参照して受信成功時刻の記録があるか否かを判定する（Ｓ１）。なお、本実施形態では、後述するように、受信成功時刻には、自動受信成功時刻と、強制受信成功時刻の２種類があり、これらは別々に記憶部６０に記憶されている。
そして、Ｓ１でＹｅｓと判定された場合、受信制御部７０は、受信時刻設定部７１によって受信時刻設定処理を実施する（Ｓ２）。
【００６４】
一方、システムリセット時は、記憶部６０も初期化されて受信成功時刻の記録がない状態となる。このように受信成功時刻の記録がない場合、Ｓ１でＮｏと判定される。
受信成功時刻の記録がない場合には受信時刻も設定されていないため、時刻受信制御部７２による時刻自動受信処理は実行されない。すなわち、光受信制御部７３または強制受信制御部７４による受信処理が行われて受信に成功するまでは、時刻自動受信処理は実行されない。以下に、これらの処理を説明する。
【００６５】
受信制御部７０は、Ｓ１でＮｏあるいはＳ２の処理が行われた後、内部時刻が２３時５９分５９秒になったかを判定する（Ｓ３）。Ｓ３でＹｅｓと判定された場合は、受信制御処理を終了する（Ｓ４）。ただし、受信制御処理は、毎日午前０時に開始されるため、Ｓ３でＹｅｓと判定された場合は、１秒後に再度Ｓ１から開始されることになる。
Ｓ３でＮｏと判定され、受信制御処理を開始してから１日が経過していない場合、受信制御部７０は、ボタン１５による強制受信操作があるか否かを判定する（Ｓ５）。
【００６６】
［強制受信処理］
Ｓ５でＹｅｓと判定されると、受信制御部７０の強制受信制御部７４は、ＧＰＳ受信回路３０を作動して強制受信処理を実施する（Ｓ６）。
強制受信制御部７４は、強制受信処理で受信に成功したか否かを判定する（Ｓ７）。ここで、受信に成功した場合は、受信時刻設定部７１は、強制受信に成功した時刻で記憶部６０に記憶される強制受信成功時刻を更新する（Ｓ８）。
さらに、制御回路４０は、ＧＰＳ受信回路３０から取得した時刻情報により時計部５０で計時している内部時刻を修正する（Ｓ９）。これにより指針１２で表示される時刻が正しい時刻に修正される。
【００６７】
そして、強制受信に成功した場合（Ｓ７でＹｅｓ）と、失敗した場合（Ｓ７でＮｏ）のいずれの場合も図５の受信制御処理を終了する（Ｓ１０）。ＧＰＳ受信回路３０を作動した受信処理は電力消費も大きいため、１日に１回程度に制限することが好ましい。このため、強制受信処理Ｓ６が行われた場合も、その日の受信制御処理は終了し、翌日まで受信処理が行われないようにしている。
【００６８】
［光自動受信処理］
一方、Ｓ５でＮｏと判定された場合、受信制御部７０は、電圧検出回路４４の検出値（開放電圧）つまり照度が所定の閾値を超えたか否かを判定する（Ｓ１１）。
Ｓ１１でＹｅｓと判定された場合、受信制御部７０の光受信制御部７３は、ＧＰＳ受信回路３０を作動して光自動受信処理を実施する（Ｓ１２）。
【００６９】
光受信制御部７３は、光自動受信処理で受信に成功したか否かを判定する（Ｓ１３）。ここで、受信に成功した場合は、受信時刻設定部７１は、光自動受信に成功した時刻で記憶部６０に記憶される自動受信成功時刻を更新する（Ｓ１４）。
さらに、制御回路４０は、ＧＰＳ受信回路３０から取得した時刻情報により時計部５０で計時している内部時刻を修正する（Ｓ１５）。これにより指針１２で表示される時刻が正しい時刻に修正される。
【００７０】
そして、光自動受信に成功した場合（Ｓ１３でＹｅｓ）と、失敗した場合（Ｓ１３でＮｏ）のいずれの場合も、強制受信処理と同様に受信制御処理を終了する（Ｓ１０）。従って、光自動受信処理も１日に１回しか実行されない。
【００７１】
［時刻自動受信処理］
Ｓ１１でＮｏと判定された場合、受信制御部７０は、受信時刻設定処理Ｓ２で設定された受信時刻が存在するかを判定する（Ｓ１６）。ここで、システムリセット後で、強制受信処理や光自動受信処理による受信成功時刻が記録されていない場合には、受信時刻設定処理Ｓ２の処理も行われないため、Ｓ１６でＮｏと判定される。このため、時刻自動受信処理は実行されずに、Ｓ３、Ｓ５，Ｓ１１の判定処理が繰り返される。
【００７２】
受信時刻が設定されている場合（Ｓ１６でＹｅｓ）、受信制御部７０は、時計部５０で計時している内部時刻が設定した受信時刻になったか否かを判定する（Ｓ１７）。受信時刻になるまでは、Ｓ１７でＮｏと判定されるため、Ｓ３の判定処理に戻る。
一方、Ｓ１７でＹｅｓと判定された場合、受信制御部７０の時刻受信制御部７２は、ＧＰＳ受信回路３０を作動して時刻自動受信処理を実施する（Ｓ１８）。
【００７３】
時刻受信制御部７２は、光受信制御部７３と同様に、時刻自動受信処理で受信に成功したか否かを判定する（Ｓ１３）。ここで、受信に成功した場合は、受信時刻設定部７１は、時刻自動受信に成功した時刻で記憶部６０に記憶される自動受信成功時刻を更新する（Ｓ１４）。
さらに、制御回路４０は、ＧＰＳ受信回路３０から取得した時刻情報により時計部５０で計時している内部時刻を修正する（Ｓ１５）。これにより指針１２で表示される時刻が正しい時刻に修正される。
【００７４】
そして、時刻自動受信に成功した場合（Ｓ１３でＹｅｓ）と、失敗した場合（Ｓ１３でＮｏ）のいずれの場合も、光自動受信処理と同様に受信制御処理を終了する（Ｓ１０）。従って、時刻自動受信処理も１日に１回しか実行されない。
【００７５】
以上のように、受信制御部７０は、システムリセット時のように、受信時刻が設定されていない場合は、１日の間に強制受信処理や光自動受信処理が行われるまで受信制御処理を継続する。受信制御部７０は、受信時刻が設定されている場合は、さらに受信時刻になると時刻自動受信処理を実行する。そして、いずれかの受信処理が行われると、翌日になるまで受信制御処理を終了する。
また、受信に成功した場合、成功した時刻で強制受信成功時刻や自動受信成功時刻を更新する。なお、受信に成功した時刻とは、通常は、受信成功処理の開始時刻であるが、受信成功処理の終了時刻でもよいし、受信成功処理の処理中の時刻でもよい。
【００７６】
［受信時刻設定処理］
次に、受信時刻設定処理Ｓ２に関し、図６を参照して説明する。
受信制御部７０は、Ｓ１で受信成功時刻が記録されている場合、受信時刻設定部７１を作動してＳ２の受信時刻設定処理を実行する。
受信時刻設定部７１は、前回の光自動受信処理、または、時刻自動処理は受信に成功したかを判定する（Ｓ２１）。すなわち、時刻受信制御部７２、光受信制御部７３、強制受信制御部７４は、それぞれの受信処理において受信に成功したか否かの履歴を記憶部６０に記憶しており、受信時刻設定部７１はこの受信履歴を確認して判定する。
【００７７】
Ｓ２１でＹｅｓと判定されると、受信時刻設定部７１は、直前の受信成功処理が強制受信処理であったか否かを前記受信履歴で判定する（Ｓ２２）。
そして、Ｓ２２でＮｏと判定された場合、つまり直前の受信成功処理が光自動受信処理または時刻自動受信処理であった場合、自動受信成功時刻を受信時刻に設定する（Ｓ２３）。
一方、Ｓ２２でＹｅｓと判定された場合、つまり直前の受信成功処理が強制受信処理であった場合、強制受信成功時刻を受信時刻に設定する（Ｓ２４）。
従って、いずれの場合も直近の受信成功時刻が受信時刻として設定されることになる。
【００７８】
Ｓ２１でＮｏと判定された場合、受信時刻設定部７１は、前回の受信が自動受信成功時刻であったかを判定する（Ｓ２５）。すなわち、前回の受信が自動受信成功時刻である場合は、自動受信成功時刻が設定されている受信時刻に受信処理が行われたこと、つまり前回受信に失敗したのは、時刻自動受信処理であったことになる。
そこで、Ｓ２５でＹｅｓと判定された場合、受信時刻設定部７１は、強制受信成功時刻の記録があるかを判定する（Ｓ２６）。Ｓ２６でＹｅｓと判定された場合、受信時刻設定部７１は、強制受信成功時刻を受信時刻に設定する（Ｓ２４）。
すなわち、受信時刻に自動受信成功時刻を設定した際の時刻自動受信処理に失敗しているので（Ｓ２１でＮｏ）、新たに受信時刻を強制受信成功時刻で更新することで、別の時間に時刻自動受信処理を実行できるように設定する。
【００７９】
また、Ｓ２６でＮｏと判定された場合は、強制受信成功時刻が存在しないので、受信時刻設定部７１は、自動受信成功時刻を受信時刻に設定する（Ｓ２３）。この場合は、結果的に受信時刻は同一のままである。
【００８０】
また、Ｓ２５でＮｏと判定された場合は、前回受信に失敗したのは、強制受信成功時刻における時刻自動受信処理か、光自動受信処理であったことになる。そこで、受信時刻設定部７１は、自動受信成功時刻の記録があるかを判定する（Ｓ２７）。
そして、Ｓ２７でＹｅｓと判定された場合は、受信時刻設定部７１は、自動受信成功時刻を受信時刻に設定する（Ｓ２３）。
また、Ｓ２７でＮｏと判定された場合は、受信時刻設定部７１は、強制受信成功時刻を受信時刻に設定する（Ｓ２４）。
【００８１】
以上により、受信時刻が設定されるので、受信時刻設定部７１は、受信時刻設定処理Ｓ２を終了する。
Ｓ２で受信時刻が設定されると、図５のＳ１６でＹｅｓと判定されるので、午前０時に受信制御を開始した後、強制受信処理や光自動受信処理が実行されることなく、設定した受信時刻に達した場合には、時刻自動受信処理が実行されることになる。
【００８２】
［第１実施形態の作用効果］
このような第１実施形態によれば、システムリセット後に、強制受信処理か光自動受信処理で受信に成功すると、受信時刻設定部７１は、その受信成功時刻を受信時刻に設定し、時刻受信制御部７２は設定された受信時刻に受信処理を実行する。このため、電子時計１が洋服で隠れており、ユーザーが屋外に移動しても光受信制御部７３が作動しない場合でも、時刻受信制御部７２により１日に１回は受信処理を確実に実行できる。従って、長期間、衛星信号を受信できず、表示時刻の精度が低下することを防止できる。
【００８３】
また、受信時刻は、過去の受信成功時刻であるため、時刻自動受信処理においても受信に成功する確率を向上できる。すなわち、時刻受信制御部７２は実際に受信環境が良好な状態にあるのかを確認せずに受信処理を行うため、受信時刻が予め固定されている場合には、受信に失敗する確率も高い。これに対し、本実施形態では、過去の受信成功時刻を受信時刻に設定しているので、ユーザーの行動パターンにおいて、屋外に移動している時間に受信時刻が設定されている可能性も高い。従って、時刻自動受信処理においても受信に成功する確率を高めることができる。
【００８４】
さらに、受信時刻設定部７１は、自動受信成功時刻と、強制受信成功時刻の両方が記憶されている場合、より直近の受信成功時刻を受信時刻に設定している。このため、ユーザーの行動パターンが変化している場合でも、最新の行動パターンに応じて屋外に移動している時間に受信時刻を設定できる確率が高まり、その分、時刻自動受信処理も成功する確率を高めることができる。
【００８５】
また、受信時刻設定部７１は、自動受信成功時刻、強制受信成功時刻の一方のみが記録されている場合には、その一方の受信成功時刻を受信時刻に設定できる。このため、光自動受信処理および強制受信処理の一方に成功すれば、受信時刻を設定でき、その翌日から時刻自動受信処理を実行することができる。従って、ユーザーは、受信時刻を設定するための特別な操作を行う必要が無く、操作性も向上できる。
【００８６】
［第２実施形態］
次に、本発明の第２実施形態を図７，８に基づいて説明する。
なお、第２実施形態は、受信制御処理の内容は第１実施形態と相違するが、電子時計１の構造および制御回路での衛星信号の受信処理は、前記第１実施形態と同様であるから、その詳細な説明は省略または簡略化する。
また、図７，８のフローチャートにおいて、前記第１実施形態の図５，６のフローチャートと同一または同様の処理については同じ符号を付して説明を省略する。
【００８７】
第２実施形態では、図７に示すように、受信制御部７０は、午前０時の受信制御処理の開始時に、まず、その日が受信休止日であるか否かを判定する（Ｓ３１）。具体的には、受信制御部７０は、記憶部６０に記憶された受信履歴を確認し、前日に受信に成功している場合は、翌日から２日間受信を休止する。従って、受信制御部７０は、前日または一昨日に受信に成功している場合、その日は受信休止日と判定する。
受信制御部７０は、Ｓ３１でＹｅｓと判定した場合、その日の受信制御処理を終了する（Ｓ３２）。
【００８８】
一方、Ｓ３１でＮｏと判定された場合、受信制御部７０はＳ１の判定を行い、受信成功時刻の記録があれば、受信時刻設定処理を実行する（Ｓ３３）。
また、Ｓ３３で受信時刻が設定された後や、Ｓ１でＮｏと判定された場合の処理Ｓ３〜Ｓ１８は第１実施形態と同じであるため、説明を省略する。
【００８９】
［受信時刻設定処理］
次に、第２実施形態における受信時刻設定処理Ｓ３３を図８に基づいて説明する。この図８においても、図６に示す第１実施形態の受信時刻設定処理Ｓ２と同じ処理には同じ符号を付して説明を簡略する。
【００９０】
受信時刻設定処理Ｓ３３が実行されると、受信時刻設定部７１は、受信開始日であるかを判定する（Ｓ３４）。受信開始日とは、受信を休止した後の休み明けの受信を開始した日である。すなわち、受信成功後に２日休止した翌日である。
受信時刻設定部７１は、前日および一昨日に受信を休止しており、本日が受信開始日であれば、Ｓ３４でＹｅｓと判定する。この場合、受信時刻設定部７１は、自動受信成功時刻の記録があるかを確認し（Ｓ２７）、記録があれば自動受信成功時刻を受信時刻に設定する（Ｓ２３）。
一方、Ｓ２７でＮｏと判定された場合、自動受信成功時刻の記録がないため、受信時刻設定部７１は、強制受信成功時刻を受信時刻に設定する（Ｓ２４）。
【００９１】
Ｓ３４でＮｏと判定された場合は、受信開始日ではない日に受信処理が行われていることになる。すなわち受信に失敗している場合は、受信は休止されずに毎日受信を継続するため、受信開始日ではない日に受信処理が実行される。その場合、受信時刻設定部７１は、前記第１実施形態のＳ２１でＮｏと判定された場合と同様に、受信時刻設定部７１は、前回の受信が自動受信成功時刻であったかを判定する（Ｓ２５）。
【００９２】
そして、Ｓ２５でＹｅｓと判定された場合、受信時刻設定部７１は、強制受信成功時刻の記録があるかを判定する（Ｓ２６）。Ｓ２６でＹｅｓと判定された場合、受信時刻設定部７１は、強制受信成功時刻を受信時刻に設定する（Ｓ２４）。
また、Ｓ２６でＮｏと判定された場合、受信時刻設定部７１は、自動受信成功時刻を受信時刻に設定する（Ｓ２３）。
【００９３】
また、Ｓ２５でＮｏと判定された場合は、受信時刻設定部７１は、自動受信成功時刻の記録があるかを判定し（Ｓ２７）、前述のとおり、その判定結果でＳ２３，Ｓ２４において受信時刻を設定する。
【００９４】
以上により、受信時刻が設定されるので、受信時刻設定部７１は、受信時刻設定処理Ｓ３３を終了する。
Ｓ３３で受信時刻が設定されると、図７のＳ１６でＹｅｓと判定されるので、午前０時に受信制御を開始した後、強制受信処理や光自動受信処理が実行されることなく、設定した受信時刻に達した場合には、時刻自動受信処理が実行されることになる。
【００９５】
［第２実施形態の効果］
このような第２実施形態においても、前記第１実施形態と同じ作用効果を奏することができる。
さらに、第２実施形態では、受信成功後に２日間受信を休止しているので、受信処理の頻度を少なくでき、省電力化を実現できる。なお、時計部５０における内部時計の精度は、クオーツ時計と同じ精度であるため、数日間受信できなくても、時刻表示の精度は実用上問題が無いレベルに維持できる。
【００９６】
また、受信時刻設定部７１は、受信休止後の受信開始日には、時刻自動受信処理を行う受信時刻として自動受信成功時刻を優先して設定している。このため、ユーザーの行動パターンにおいて屋外にいた時刻を重視して受信時刻を設定できるので、強制受信成功時刻を受信時刻に設定する場合に比べると、その後の時刻自動受信処理で受信に成功する確率も向上できる。
【００９７】
［第３実施形態］
次に、本発明の第３実施形態を図９に基づいて説明する。
なお、第３実施形態は、時刻自動受信処理Ｓ１８の受信失敗時の処理が前記第１実施形態と相違する。それ以外の処理は前記第１実施形態と同様であるから、その詳細な説明は省略または簡略化する。そのため、図９のフローチャートにおいて、前記第１実施形態の図５のフローチャートと同一または同様の処理については同じ符号を付している。
【００９８】
第３実施形態では、図９に示すように、Ｓ１〜Ｓ１８までの処理は第１実施形態と同一である。このため、受信時刻設定処理Ｓ２も第１実施形態と同一である。
そして、時刻自動受信処理Ｓ１８が行われた後、時刻受信制御部７２は受信に成功したかを判定する（Ｓ４１）。
Ｓ４１で受信に成功したと判定された場合は、第１実施形態と同じく自動受信成功時刻を更新し（Ｓ１４）、内部時刻を修正する（Ｓ１５）。
【００９９】
一方、Ｓ４１で受信に失敗したと判定された場合は、記憶部６０に記憶されている自動受信成功時刻に１０分を加算して更新する（Ｓ４２）。
このため、次に受信時刻設定処理Ｓ２において、自動受信成功時刻によって受信時刻が設定される場合には、今回の受信失敗した時刻から１０分後の時刻が設定されることになる。
なお、この加算時刻は、＋１０分に限らず、＋３０分や、−２０分、−４０分などでもよい。さらに、加算時刻として、複数の時刻を用意しておき、Ｓ４１で受信に失敗した度に、加算時刻を変更してもよい。
【０１００】
［第３実施形態の効果］
このような第３実施形態においても、前記第１実施形態と同じ作用効果を奏することができる。
さらに、時刻自動受信処理で受信に失敗した場合に、自動受信成功時刻に所定の時間を加算して自動受信成功時刻を更新しているので、次の受信時刻はこの時間が加算された時刻に設定できる。従って、受信実績がある時刻に近い時間帯で時刻自動受信処理を実行できるので、例えば、自宅から外出する時間が多少ずれた場合でも、受信に成功できる確率を向上できる。
【０１０１】
［第４実施形態］
次に、本発明の第４実施形態を図１０、１１に基づいて説明する。
第４実施形態は、主に強制受信成功時刻で設定された受信時刻での時刻自動受信処理に失敗した場合に、強制受信失敗回数をカウントし、そのカウント値が規定値を超えた場合には強制受信成功時刻による時刻自動受信処理を中止する点が前記第１実施形態と相違する。それ以外の処理は前記第１実施形態と同様であるから、その詳細な説明は省略または簡略化する。そのため、図１０、１１のフローチャートにおいて、前記第１実施形態の図５、６のフローチャートと同一または同様の処理については同じ符号を付している。
【０１０２】
第４実施形態では、図１０に示すように、Ｓ１と、Ｓ３〜Ｓ１８までの処理は第１実施形態と同一である。
そして、時刻自動受信処理Ｓ１８が行われた後、時刻受信制御部７２は受信に成功したかを判定する（Ｓ４１）。
Ｓ４１で受信に成功したと判定された場合は、第１実施形態と同じく自動受信成功時刻を更新し（Ｓ１４）、内部時刻を修正する（Ｓ１５）。
【０１０３】
一方、Ｓ４１で受信に失敗したと判定された場合は、受信制御部７０は、受信時刻が強制受信成功時刻に設定されていたかを判定する（Ｓ５１）。
Ｓ５１でＹｅｓと判定された場合のみ、受信制御部７０は強制受信失敗回数に１を加算して記憶部６０に記憶する（Ｓ５２）。
また、強制受信処理Ｓ６が行われて受信に成功した場合（Ｓ７でＹｅｓ）、第１実施形態と同じくＳ８，Ｓ９の処理を行い、さらに、受信制御部７０は、記憶部６０に記憶された強制受信失敗回数を「０」にリセットする（Ｓ５３）。
【０１０４】
［受信時刻設定処理］
一方、Ｓ１でＹｅｓと判定された場合に実施される受信時刻設定処理Ｓ５４を、図１１に参照して説明する。
受信時刻設定処理Ｓ５４は、第１実施形態の受信時刻設定処理Ｓ２と同じくＳ２１〜Ｓ２７の処理を行う。さらに、Ｓ２６でＹｅｓと判定された場合に、受信時刻設定部７１は、記憶部６０に記憶された強制受信失敗回数が予め設定された規定値を超えているかを判定する（Ｓ５５）。この規定値は適宜設定されるが例えば「３」等に設定すればよい。
【０１０５】
Ｓ５５で規定値を超えた場合、つまり強制受信成功時刻での時刻自動受信処理に規定値の回数より多く失敗した場合、その強制受信成功時刻では屋外などの受信に適した場所に電子時計１が配置されていない可能性が高い。この場合、同じ強制受信成功時刻で時刻自動受信処理を継続しても再度受信に失敗する可能性が高い。そこで、受信時刻設定部７１は、Ｓ５５でＹｅｓと判定された場合は、自動受信成功時刻の記録があるかを確認し（Ｓ２７）、記録があれば自動受信成功時刻を受信時刻に設定する（Ｓ２３）。
【０１０６】
すなわち、第１実施形態では、Ｓ２６でＹｅｓの場合、つまり前回自動受信成功時刻で受信時刻を設定している場合、強制受信成功時刻を受信時刻に設定し（Ｓ２４）、自動受信に失敗した場合に、受信時刻を自動受信成功時刻および強制受信成功時刻に交互に切り替えていた。
これに対し、第４実施形態では、Ｓ２６でＹｅｓの場合も、強制受信失敗回数が規定値よりも大きく、かつ、自動受信成功時刻の記録があれば、自動受信成功時刻を受信時刻に設定し（Ｓ２３）、強制受信成功時刻による時刻自動受信処理を、再度強制受信処理で受信に成功してＳ５３で強制受信失敗回数がリセットされるまで、中止している。
ただし、この場合も自動受信成功時刻の記録がなく、強制受信成功時刻の記録のみがある場合には、強制受信成功時刻を受信時刻に設定している（Ｓ２４）。
【０１０７】
［第４実施形態の効果］
このような第４実施形態においても、前記第１実施形態と同じ作用効果を奏することができる。
さらに、第４実施形態では、強制受信成功時刻での受信処理に規定数より多く失敗した場合、自動受信成功時刻の記録があれば、強制受信成功時刻での受信処理を中止している。このため、ユーザーの行動パターンにおいて、強制受信成功時刻に屋外に移動していることがない場合に、無駄な受信処理を継続することがなく、省電力化を図ることができる。
また、強制受信処理に再度成功すれば、強制受信成功時刻での受信処理を再開できるので、ユーザーが屋外に移動している時間に強制受信処理を行うだけで、受信処理の中止を容易に解除できる。
【０１０８】
［他の実施形態］
なお、本発明は前記実施形態の構成に限定されず、本発明の要旨の範囲内で種々の変形実施が可能である。
【０１０９】
例えば、受信時刻設定部７１による受信時刻の設定方法としては、最後に受信処理が行われてから一定時間経過した時刻を受信時刻に設定してもよい。例えば、一定時間として２４時間に設定した場合、光自動受信処理や強制受信処理が行われない場合、時刻自動受信処理が２４時間毎に実行される。光自動受信処理や強制受信処理が行われた場合は、その受信処理時間から２４時間毎に受信時刻が設定される。
なお、一定時間間隔は２４時間に限らず、設定したい受信頻度に応じて設定すればよい。この場合、受信時刻設定部７１は、電池電圧を検出し、電池電圧に応じて一定時間間隔を変更しても良い。例えば、電池電圧が所定値以上と高い場合は２４時間に設定し、電池電圧が低下したら一定時間間隔を３６時間、４８時間などと長く設定すればよい。
【０１１０】
また、受信制御処理の開始後、１日目は時刻受信制御部７２を停止して、光受信制御部７３を動作させ、光受信制御部７３による光自動受信処理が１日経過しても実行されない場合に、翌日から光受信制御部７３とともに、時刻受信制御部７２を動作させて時刻自動受信処理を実行するようにしてもよい。この際、受信時刻になる前に時刻受信制御部７２による光自動受信処理が行われた場合、光自動受信処理が１日実行されない状態になるまで時刻受信制御部７２を停止すればよい。
このように光受信制御部７３を優先させていれば、屋外に移動した場合に受信する可能性を高めることができ、受信成功確率を向上できる。
【０１１１】
さらに、第４実施形態では、受信時刻が強制受信成功時刻の場合のみ、受信に連続して失敗した回数をカウントして規定値を超えた場合に強制受信成功時刻での受信処理を中止していたが、受信時刻が光自動受信成功時刻や時刻自動受信成功時刻の場合も同様に受信に連続して失敗した回数をカウントしてその時刻を受信時刻から外してもよい。
受信に連続して失敗した時刻は、ユーザーの行動パターンにおいて受信に適さない時刻であると推定でき、この時刻を外すことで無駄な受信処理を無くすことができる。
【０１１２】
本発明の衛星信号受信装置を備える電子機器は、腕時計（電子時計１）に限定されず、例えば、携帯電話、登山等に用いられる携帯型のＧＰＳ受信機等、二次電池で駆動されて位置情報衛星から送信される衛星信号を受信する装置に広く利用できる。
【符号の説明】
【０１１３】
１…電子時計、１２…指針、２１…ムーブメント、２２…ソーラーセル、２３…ＧＰＳアンテナ、２４…二次電池、２５…回路基板、３０…ＧＰＳ受信回路、４０…制御回路、４２…充電制御用スイッチ、４３…充電状態検出回路、４４…電圧検出回路、４５…時刻修正部、５０…時計部、６０…記憶部、７０…受信制御部、７１…受信時刻設定部、７２…時刻受信制御部、７３…光受信制御部、７４…強制受信制御部、１２１…秒針、１２２…分針、１２３…時針。
【図１】
2015232576.tif 000003
【図２】
2015232576.tif 000004
【図３】
2015232576.tif 000005
【図４】
2015232576.tif 000006
【図５】
2015232576.tif 000007
【図６】
2015232576.tif 000008
【図７】
2015232576.tif 000009
【図８】
2015232576.tif 000010
【図９】
2015232576.tif 000011
【図１０】
2015232576.tif 000012
【図１１】
2015232576.tif 000013
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
信号を受信する受信部と、
内部時刻を計時する計時部と、
ソーラーセルと、
前記ソーラーセルに入射する光の照度を検出する電圧検出回路と、
前記電圧検出回路で検出された照度が設定された閾値以上であるかを判定する処理と、前記電圧検出回路で検出された照度が設定された閾値以上である場合に前記受信部を作動する処理と、を含む光受信処理を行う光受信制御部を有する受信制御部と、を有し、
前記受信制御部は、前記内部時刻が毎日所定の時刻になると、受信休止日であるかを判定し、
前記光受信制御部は、前記受信休止日と判定された場合、前記受信休止日と判定された日は前記光受信処理を行わない
ことを特徴とする電子時計。
【請求項２】
請求項１に記載の電子時計において、
前記受信制御部は、
前記計時部で計時する時刻が受信時刻になったかを判定する処理と、前記計時部で計時する時刻が前記受信時刻になった場合に前記受信部を作動する処理と、を含む時刻受信処理を行う時刻受信制御部を有し、
前記時刻受信制御部は、前記受信休止日と判定された場合、前記受信休止日と判定された日は前記時刻受信処理を行わない
ことを特徴とする電子時計。
【請求項３】
請求項１または請求項２に記載の電子時計において、
受信履歴を記憶する記憶部を有し、
前記受信制御部は、前記受信履歴に基づいて、前記受信休止日であるかを判定する
ことを特徴とする電子時計。
【請求項４】
請求項３に記載の電子時計において、
前記受信履歴は、受信が成功したことの情報を含む
ことを特徴とする電子時計。
【請求項５】
請求項１または請求項２に記載の電子時計において、
前記受信制御部は、前日に受信が成功した場合、前記受信休止日であると判定する
ことを特徴とする電子時計。
【請求項６】
請求項１または請求項２に記載の電子時計において、
前記受信制御部は、一昨日に受信が成功した場合、前記受信休止日であると判定する
ことを特徴とする電子時計。
【請求項７】
請求項１から請求項６のいずれかに記載の電子時計において、
前記所定の時刻は、午前０時である
ことを特徴とする電子時計。
【請求項８】
請求項１から請求項７のいずれかに記載の電子時計において、
前記信号は、時刻情報を含む衛星信号である
ことを特徴とする電子時計。